(57)【特許請求の範囲】
【請求項１】
所定大きさの基台と、該基台の上面にヒンジ部を介して折合自在に形成された狭持蓋と、前記基台の支持面に連設されたエッジガイドと、前記基台と狭持蓋とを折合状態に保持するロック部材とを備えてなること特徴とするエッジロックスペーサー。
【請求項２】
前記エッジガイドは、基板のストレート部及び／又はコーナー部の位置決めをする段差角部を形成してなることを特徴とする請求項１に記載のエッジロックスペーサー。
【請求項３】
前記エッジガイドは、基台の長手方向中心部よりヒンジ側に位置することを特徴とする請求項１又は２に記載のエッジロックスペーサー。
【請求項４】
前記狭持蓋は、基板を上から押圧するための圧接子を有することを特徴とする請求項１に記載のエッジロックスペーサー。
【請求項５】
前記ロック部材は、蓋体の幅方向両端に突設されたロックアームと、該ロックアームと対向する基台のエッジガイド両端に突設されたロック爪とを備えて、前記基台と狭持蓋との開放端間に基板のエッジを跨架状態に保持することを特徴とする請求項１に記載のエッジロックスペーサー。
【発明の詳細な説明】
【０００１】
【発明の属する技術分野】
本発明は、主として電子機器のプリント基板とシャーシとの間隔保持に使用されるエッジロックスペーサーの改良に関し、更に詳しくは、着脱操作が簡単でプリント基板に曲げ力などのストレスをかけることのない有用なエッジロックスペーサーに関する。
【０００２】
【従来の技術】
従来、斯かるエッジロックスペーサー（間隔スペーサー）としては、例えば、実公昭５２−２８０５６号公報に開示されたものが従来例として周知である。この従来例における間隔スペーサーは、図９に示すように、基板に穿設されている取付孔Ｈに力を加えて挿通することにより、弾力により逆止爪６ａ，７ａが変形して同取付孔Ｈを貫通し、かつ、貫通し抜けると同時に弾力で元の状態に復元して、逆方向に容易に抜けることがない脚６，７を、頭部８の下に同じ向きに複数段有し、上段の脚７を下段の脚６よりも太くし、かつ、その下端には下段の脚６が固定すべき板Ｂを受け止める肩９を備えている。
【０００３】
【発明が解決しようとする課題】
しかしながら、上述した従来例のエッジロックスペーサーにあっては、基板Ｃにも取付孔Ｈを穿設しなければならないため、換言すれば、基板に余分な穿設スペースが必要になるため、回路基板の有効面積が減少して効率的な配線パターンが設計できないなど、近時の高密小型化に対応することができず、また、基板への取り付けの際に、押圧力や曲げ力などのストレスがかかるため、基板に実装した電子部品の足ピンや半田付け部分或いはプリント配線パターンなどに曲がりやクラックが発生し易く、実装基板の誤動作や故障の原因になってしまうといった問題を有する。
【０００４】
本発明は斯かる問題点に鑑みてなされたもので、プリント基板に取付孔を穿設することなく簡単かつ確実に取り付けできると共に、基板を取り付ける際やメンテナンスの際に、基板に曲げ力などのストレスを一切かけることのない有用なエッジロックスペーサーを提供することを目的とするものである。
【０００５】
【課題を解決するための手段】
上述の如き従来の問題点を解決し、所期の目的を達成するため本発明の要旨とする構成は、所定大きさの基台と、該基台の上面にヒンジ部を介して折合自在に形成された狭持蓋と、前記基台の支持面に連設されたエッジガイドと、前記基台と狭持蓋とを折合状態に保持するロック部材とを備えてなるエッジロックスペーサーに存する。
【０００６】
また、前記エッジガイドは、基板のストレート部及び／又はコーナー部の位置決めをする段差角部を有するのが良い。
【０００７】
更に、前記エッジガイドは、基台の長手方向中心部よりヒンジ側に位置するように形成するのが良い。
【０００８】
また、前記狭持蓋には、基板を上から押圧するための圧接子を備えるのが良く、延いては、前記ロック部材は、蓋体の幅方向両端に突設されたロックアームと、該ロックアームと対向する基台のエッジガイド両端に突設されたロック爪とを備えて、前記基台と狭持蓋との解放端間に基板のエッジを跨架状態に保持せしめるのが良い。
【０００９】
このように構成される本発明のエッジロックスペーサーは、所定大きさの基台と、該基台の上面にヒンジ部を介して折合自在に形成された狭持蓋と、前記基台の支持面に連設されたエッジガイドと、前記基台と狭持蓋とを折合状態に保持するロック部材とを備えたことによって、基板に取付孔を穿設することなく基台と狭持蓋との間に同基板のエッジをロック保持し得ることとなる。
【００１０】
また、前記エッジガイドが、基板のストレート部及び／又はコーナー部の位置決めをする段差角部を有することによって、基板の何れのエッジ（端縁でも角隅部）でも取付可能となる。
【００１１】
更に、前記エッジガイドが、基台の長手方向中心部よりヒンジ側に位置するように形成することにより、基板を深く支持し得ることとなり、その分、基板の取り付けが安定することとなる。
【００１２】
また、前記狭持蓋に、基板を上から押圧するための圧接子を備えれば、基台の支持面に圧接すべく基板を支持し得ると共に、同基板への外的振動や衝撃を同圧接子の圧接力で緩衝し得ることとなる。
【００１３】
更に、前記ロック部材が、蓋体の幅方向両端に突設されたロックアームと、該ロックアームと対向する基台のエッジガイドに突設されたロック爪とを備えて、前記基台と狭持蓋との解放端間に基板のエッジを跨架状態に保持せしめることによって、仮令、取付孔の無い基板であっても、無理な押圧力や曲げ力等のストレスが一切かかることがないようにロック（抜け止め）し得ることとなる。
【００１４】
【発明の実施の形態】
次に、本発明に係るエッジロックスペーサーの実施の一例を図面を参照しながら説明する。図中Ａは、本発明に係るエッジロックスペーサーであり、このエッジロックスペーサーＡは、ナイロン６６等の適宜合成樹脂材からなり、図１に示すように、所定大きさの基台１と、該基台１の上面にヒンジ部２を介して折合自在に形成された狭持蓋３と、前記基台１と狭持蓋３とを折合状態に保持するロック部材４とを備えている。
【００１５】
前記基台１は、フラットな支持面１ａと、該支持面１ａ上に段差状に突設されたエッジガイド１ｂとを備えている。エッジガイド１ｂは、基板のコーナー部と整合する段差角部１ｃと、基板のストレート部を当接させる離間配置の段差部１ｄ，１ｄとを備えており、基板のエッジを位置決め案内するものである。
【００１６】
換言すれば、この段差角部１ｃは、基板のコーナー部に整合するように段差部の中央を（同段差部の遊端縁に連通すべく）直角三角形状に切り欠くと共に、その両隣に離間する段差部１ｄ，１ｄが互いに平行で、かつ、直角に立ち上がるべく面取りしてなるものである。
【００１７】
更に、このエッジガイド１ｂは、基板を深く取り付けできるように、少なくとも段差部１ｄ，１ｄが基台１の長手方向中心部よりもヒンジ部２側に片寄るべく形成されている。
【００１８】
一方、狭持蓋３は、基台１と略同形同大に形成してあり、一端側に薄肉のヒンジ部２を介して同基台１に折合自在に連設されている。この狭持蓋３は、指での開蓋操作を容易にできるように、長手方向遊端部に爪掛け部３ａを形成しており、幅方向中央部に板バネ状の圧接子３ｂが切り欠き形成してある。
【００１９】
圧接子３ｂは、狭持蓋３の内側に傾むべく弾設されており、閉蓋状態の際、基板を上から押圧すべく内方に弾性力が付勢されている。
【００２０】
他方、ロック部材４は、狭持蓋３の基端側幅方向両端に突設された鈎状のロックアーム４ａ，４ａと、該ロックアーム４ａ，４ａと対向するエッジガイド１ｂの両側端に突設されたロック爪４ｂ，４ｂとから構成されている。
【００２１】
このロック部材４は、狭持蓋３を基台１に折り合わせることにより（閉蓋状態）、前記ロックアーム４ａ，４ａがロック爪４ｂ，４ｂに強制的に係合されるものであり、斯かる係合力に抗して狭持蓋３を開けない限り、基板のエッジをロック保持するものである。
【００２２】
すなわち、このロック部材４は、狭持蓋３及びエッジガイド１ｂの基端側（ヒンジ寄り）に付設されているため、ロック状態であっても、基台１と狭持蓋３との解放端側の間に基板のエッジを跨架状態に保持することが可能となり、同基板に無理な押圧力や曲げ力等のストレスが一切かかることがない。
【００２３】
しかも、斯かるロック状態では、ロックアーム４ａ，４ａとロック爪４ｂ，４ｂとの係合力と前記圧接子３ｂとの圧接力と協働して同基板を外れ落ちないように確実にロック保持することができるのである。
【００２４】
また、このエッジロックスペーサーは下位に常套の取付機構５を備えている。この取付機構５は、左右方向に延設された弧状の弾性座体５ａ，５ａと、該弾性座体５ａ，５ａの下位に連設された抜止アンカー５ｂと、該抜止アンカー５ｂの両側面に突設された回止突片５ｃ，５ｃとを備えている。
【００２５】
このように構成される本発明のエッジロックスペーサーＡは、予め設定されているシャーシＢの取付孔（図示せず）に取付機構５を挿入して（約９０度）回動させることにより、図７に示すように、前記弾性座体５ａと抜止アンカー５ｂとの間にシャーシＢが狭持固定され、抜け止め状態に取り付けすることができる。
【００２６】
また、プリント基板Ｃを取り付ける際は、図８に示すように、プリント基板Ｃの各コーナー部（角隅部）を前記基台１の段差角部１ｃに整合させるだけで簡単に位置決めでき、狭持蓋３を閉じることにより、前記ロック部材４のロックアーム４ａ，４ａとロック爪４ｂ，４ｂとが係合し、プリント基板Ｃのエッジを確実にロック保持してシャーシＢとの間隙Ｓを一定間隔に保持することができる（図７参照）。
【００２７】
また、その際、前記圧接子３ｂが同プリント基板Ｃを上から押圧すべく付勢するため、仮令、薄い基板でも確実に支持できるように板厚の調整ができると共に、同圧接子３の圧接力で外的振動や衝撃を緩衝させることができることは云うまでもない。
【００２８】
更に、プリント基板Ｃのストレート部を間隔保持する場合は、前記段差角部１ｂの段差部１ｄ，１ｄにエッジを当接させるべく同プリント基板Ｃを載置するだけで良く（図８参照）、無理なく簡単に位置決め固定できるのである。
【００２９】
また、メンテナンスの時など、必要に応じてプリント基板Ｃを取り外す時は、前記ロック部材４の係合力に抗して狭持蓋３の爪掛け部３ａを引き上げるだけで、簡単にロック解除できるものであり、この際にもプリント基板Ｃには曲げ力などの何のストレスもかからない。
【００３０】
尚、本発明のエッジロックスペーサーは、本実施例に限定されることなく、本発明の目的の範囲内で自由に設計変更し得るものであり、本発明はそれらの全てを包摂するものである。
【００３１】
例えば、本実施例では、基台１の支持面にエッジガイド１ｂが不動状態に連設されているが、これに限定されることなく、例えば、色々な大きさのプリント基板に対応できるように、また、回路基板の有効面積を最大限に生かすべく基台１及び／又はエッジガイド１ｂを取付機構５に対し変位自在に組み付けても良い。
【００３２】
また、狭持蓋３は、薄肉のヒンジ部２を介して基台１に折合自在に連設されているが、これに限定されることなく、狭持蓋３の可撓性（材料特性）を利用して折曲自在に形成しても良い。
【００３３】
【発明の効果】
本発明は上述のように構成され、所定大きさの基台と、該基台の上面にヒンジ部を介して折合自在に形成された狭持蓋と、前記基台の支持面に連設されたエッジガイドと、前記基台と狭持蓋とを折合状態に保持するロック部材とを備えたことによって、取付孔を穿設することなく基台と狭持蓋との間に基板のエッジを簡単かつ確実に狭持固定できるといった効果を奏すると共に、従来の如き取付孔の穿設スペースが不要となるため、回路基板の有効面積が最大限に活かせるなど、近時の高密小型化にも対応することができ、また、基板の取り付けやメンテナンスの際にも、押圧力や曲げ力などのストレスが一切かかることがないといった優れた効果を奏するものである。
【００３４】
また、前記エッジガイドが、基板のストレート部及び／又はコーナー部の位置決めをする段差角部を有することによって、基板の端縁でも角隅部でも確実に支持できるといった効果を奏するものである。
【００３５】
更に、前記エッジガイドが、基台の長手方向中心部よりヒンジ側に位置するように形成されることにより、基板を深く支持できるため、安易な抜け落ちが阻止できるなど、基板の安定した取り付けができるといった効果を奏するものである。
【００３６】
また、前記狭持蓋に、基板を上から押圧するための圧接子を備えれば、基板が浮き上がることなく基台に圧接支持できるため、基板の正確な間隔保持ができる共に、同基板への外的振動や衝撃を同圧接子の圧接力で緩衝させることができるといった効果を奏する。
【００３７】
更に、前記ロック部材が、蓋体の幅方向両端に突設されたロックアームと、該ロックアームと対向する基台のエッジガイドに突設されたロック爪とを備えて、前記基台と狭持蓋との解放端間に基板のエッジを跨架状態に保持せしめることによって、仮令、取付孔の無い基板であっても、無理なく簡単に取り付けできるため、ＰＣサーキットボード等の実装基板に限定されることなく、蛍光表示板や液晶表示板等の何れの基板にも取り付けできるといった効果を奏するものである。
【００３８】
このように、本発明のエッジロックスペーサーは、プリント基板に取付孔を穿設することなく簡単かつ確実に取り付けできると共に、基板に取り付ける際やメンテナンスの際に、基板に曲げ力などのストレスを一切かけることがなく、また、構成が単純であるため大量生産に適し、価格も低廉なものとして需要者に供給できる等、本発明を実施することはその実益的価値が甚だ大なるものがある。
【図面の簡単な説明】
【図１】本発明に係るエッジロックスペーサーの開蓋状態を示す斜視図である。
【図２】同エッジロックスペーサーの側面図である。
【図３】同エッジロックスペーサーの縦断面図である。
【図４】同エッジロックスペーサー平面図である。
【図５】同エッジロックスペーサーの正面図である。
【図６】図６(ａ)は同エッジロックスペーサーの保持機構を示す正面図、図６(ｂ)は同底面図、図６(ｃ)は同側面図である。
【図７】同エッジロックスペーサーの取付状態を示す説明図である。
【図８】基板のストレート部やコーナー部に同エッジロックスペーサーを取り付けた状態を示す説明図である。
【図９】従来の間隔スペーサーを示す説明図である。
【符号の説明】
Ａ  エッジロックスペーサー
Ｂ  シャーシ
Ｃ  プリント基板
１  基台
１ａ  支持面
１ｂ  エッジガイド
１ｃ  段差角部
１ｄ  段差部
２  ヒンジ部
３  狭持蓋
３ａ  爪掛け部
３ｂ  圧接子
４  ロック部材
４ａ  ロックアーム
４ｂ  ロック爪
５  取付機構
５ａ  弾性座体
５ｂ  抜止アンカー
５ｃ  回止突片
【図１】
0004369598.tif 000002
【図２】
0004369598.tif 000003
【図３】
0004369598.tif 000004
【図４】
0004369598.tif 000005
【図５】
0004369598.tif 000006
【図６】
0004369598.tif 000007
【図７】
0004369598.tif 000008
【図８】
0004369598.tif 000009
【図９】
0004369598.tif 000010